(57)【要約】 【課題】  本発明は、小型化に寄与し、さらにはロック解除性に優れるレバー式コネクタを提供する。【解決手段】  レバー１２の側板４１には、雄ハウジング１０の側壁に近づいたり遠ざかったりする方向に撓み変形可能な可撓ロック部５０が側板４１のほぼ肉厚内に形成されており、可撓ロック部５０に形成された係止部５１と、雄ハウジング１０の外面に形成された係止受け部５２とが係合することでレバー１２は嵌合位置にロックされる。これにより、レバー１２のロック構造がレバー１２の肉厚方向外方に突出しないからコネクタを幅方向に小型化できる。また、嵌合位置に保持されたレバー１２のロックを解除する解除部５３は、レバー１２の回動中心と操作部４２との間の領域のうち操作部４２寄りの位置に配されている。これによりレバー１２のロック解除性が向上する。【選択図】  図１４
2006344473.tif 000002
【特許請求の範囲】
【請求項１】
側板の先端部に操作部を有するレバーが第１ハウジングに回動可能に組みつけられ、前記レバーの回動操作により前記側板に形成されたカム溝に沿って第２ハウジングに形成されたカムピンを誘導することで両ハウジングを嵌合状態とすることができるようになっているレバー式コネクタにおいて、
前記側板には、シーソー形状をなす可撓ロック部が前記側板のほぼ肉厚内に形成されており、前記可撓ロック部は、前記第１ハウジングの側壁に近づいたり遠ざかったりする方向に撓み変形可能に形成されており、前記可撓ロック部の一方の端部の内面に形成された係止部と、前記第１ハウジングの外面に形成された係止受け部とが、前記第１ハウジングと前記第２ハウジングとが正規に嵌合したときに係合することで前記レバーはロックされるようになっており、
前記可撓ロック部の他方の端部に形成された解除部を押圧することで前記係止部と前記係止受け部との係合は解除されるようになっており、前記解除部は、前記レバーの回動中心と前記操作部との間の領域のうち前記操作部寄りの位置に配されていることを特徴とするレバー式コネクタ。
【請求項２】
前記可撓ロック部は、前記レバーの前記側板に、前記可撓ロック部と前記側板とを連結するヒンジを残しながら環状のスリットを切り込むことで、前記スリットの内側に形成されてなることを特徴とする請求項１記載のレバー式コネクタ。
【発明の詳細な説明】
【技術分野】
【０００１】
本発明は、レバー式コネクタに関する。
【背景技術】
【０００２】
従来より、レバー式コネクタとしては、例えば特許文献１に記載のものが知られている。このものは、一対の側板と、側板同士を接続する操作部とから略門状に形成されたレバーが、第１ハウジングを跨ぐようにして回動可能に組みつけられ、レバーの回動操作により側板に形成されたカム溝に沿って第２ハウジングに形成されたカムピンを誘導することで両ハウジングを嵌合状態とすることができるようになっている。このレバー式コネクタには、両ハウジングが嵌合状態において、レバーの側板の外面に形成されたレバー側ロック爪と、第１ハウジングの外面から外方に突設されたロッキングアームの一方の端部に形成されたハウジング側ロック爪とが係止することで、レバーがロックされるようになっている。
【特許文献１】実開平５ー９０８４５号公報（第１図）
【発明の開示】
【発明が解決しようとする課題】
【０００３】
しかしながら上記の構成によると、ハウジング側ロック爪をレバー側ロック爪に対して外方から係止させなければならない。このため、ロッキングアームをレバーよりも外方に突出させなければならないから、全体としてコネクタが幅広になるという問題点がある。
【０００４】
本発明は上記のような事情に基づいて完成されたものであって、小型化に寄与し、さらにはロック解除性に優れるレバー式コネクタを提供することを目的とする。
【課題を解決するための手段】
【０００５】
上記の目的を達成するための手段として、請求項１の発明は、側板の先端部に操作部を有するレバーが第１ハウジングに回動可能に組みつけられ、前記レバーの回動操作により前記側板に形成されたカム溝に沿って第２ハウジングに形成されたカムピンを誘導することで両ハウジングを嵌合状態とすることができるようになっているレバー式コネクタにおいて、前記側板には、シーソー形状をなす可撓ロック部が前記側板のほぼ肉厚内に形成されており、前記可撓ロック部は、前記第１ハウジングの側壁に近づいたり遠ざかったりする方向に撓み変形可能に形成されており、前記可撓ロック部の一方の端部の内面に形成された係止部と、前記第１ハウジングの外面に形成された係止受け部とが、前記第１ハウジングと前記第２ハウジングとが正規に嵌合したときに係合することで前記レバーはロックされるようになっており、前記可撓ロック部の他方の端部に形成された解除部を押圧することで前記係止部と前記係止受け部との係合は解除されるようになっており、前記解除部は、前記レバーの回動中心と前記操作部との間の領域のうち前記操作部寄りの位置に配されていることを特徴とする。
【０００６】
請求項２の発明は、請求項１記載のものにおいて、前記可撓ロック部は、前記レバーの前記側板に、前記可撓ロック部と前記側板とを連結するヒンジを残しながら環状のスリットを切り込むことで、前記スリットの内側に形成されてなることを特徴とする。
【発明の効果】
【０００７】
＜請求項１の発明＞
請求項１の発明によれば、コネクタを幅方向に小型化することができる。これは、以下の理由に基づく。すなわち、まず、従来のように、レバーをロックするための係止部をレバーの外面に形成すると、ハウジング側の係止受け部はレバーの厚み方向外方に突出させなければならない。これに対し請求項１の発明では、レバーをロックするための係止部をレバーの内面に形成する構成としたから、ハウジング側の係止受け部が、レバーの厚み方向外方に突出することを防止でき、ハウジング自体の幅狭化を図ることができる。また、レバーをロックするための可撓ロック部を、レバーのほぼ肉厚内に形成する構成としたから、レバー側の幅狭化も図ることができる。
【０００８】
また、請求項１の発明によれば、コネクタ同士を離間させる際、作業者は、解除部を押圧した状態でレバーの回動操作を行う。この解除部は、レバーの回動中心と操作部との間の領域のうち、操作部寄りの位置に配されているから、作業者は、容易にレバーの回動操作を行うことができる。これによりロック解除性が向上し、メンテナンス時などにおけるコネクタ同士の離間作業の効率を向上させることができる。
【０００９】
＜請求項２の発明＞
レバーをロックするための可撓ロック部は、レバーの側縁から、レバーの板面に沿う方向に突設してもよいが、そうすると、レバーの回動軌跡が大きくなるため、レバーの回動軌跡を避ける必要から、ハウジングが大型化することが懸念される。
【００１０】
この点を鑑み請求項２の発明においては、既存のレバーの範囲内に可撓ロック部を配置する構成としたから、レバーの回動軌跡が大きくなることを防止でき、ハウジングの大型化を防止できる。
【発明を実施するための最良の形態】
【００１１】
本発明の一実施形態を図１ないし図１６によって説明する。本実施形態に係るレバー式コネクタは、雄ハウジング１０（本発明に係る第１ハウジングに相当）と、雌ハウジング１１（本発明に係る第２ハウジングに相当）とを、雄ハウジング１０に配設したレバー１２により嵌合、離脱させるようにしたものである。なお、以下の説明では、両ハウジング１０，１１の嵌合方向を前方とする。
【００１２】
図２ないし図４に示すように、雌ハウジング１１は、合成樹脂材料により略ブロック状に形成されている。雌ハウジング１１の側壁の外側面の前端部には、高さ方向の略中央付近に、略円柱状をなす一対のカムピン１３が外方に突設されており、このカムピン１３は、後述するレバー１２に形成されたカム溝１４と係合しつつ、且つ、後述する雌ハウジング１１に形成された側面側第１案内スリット１５に進入して前後方向に移動することで、雄ハウジング１０と雌ハウジング１１とを嵌合、離脱させるようになっている。カムピン１３の後方には、前後方向に延びる２つの側面側案内リブ１６が形成されており、上述した側面側第１案内スリット１５に進入することで、両ハウジング１０，１１の嵌合、離脱を案内するようになっている。また、雌ハウジング１１の上壁の外側面には、上方に突出すると共に、側方から見て略山形をなす２つの上面側案内突起１７が形成されており、後述する雄ハウジング１０の上面に形成された上面側案内スリット１８に進入して、両ハウジング１０，１１の嵌合、離脱を案内するようになっている。さらに、雌ハウジング１１の下壁の外側面には、幅方向の両端寄りの位置に、下方に突出すると共に、前後方向に延びて形成された２つの下面側案内リブ１９が形成されており、後述する雄ハウジング１０の下面側案内溝２０に進入して、両ハウジング１０，１１の嵌合、離脱を案内するようになっている。
【００１３】
図１１に示すように、雌ハウジング１１の内部には前後方向に延びるキャビティ２１が形成されており、雌側端子金具２２を後方から収容するようになっている。雌側端子金具２２は、略角筒状をなすと共に、雄ハウジング１０に収容される雄側端子金具２３のタブ片２４が挿入される角筒部２５と、角筒部２５の後方に設けられ電線２６をかしめつけるバレル部２７とからなる。角筒部２５内には、弾性変形可能な弾性接触片２８が形成されており、角筒部２５内に挿入されたタブ片２４と弾性的に接触するようになっている。キャビティ２１の内壁には前方に片持ち状に延びると共に、撓み変形可能なランス２９が突設されており、このランス２９は、角筒部２５と弾性的に係合することにより、雌側端子金具２２の抜け止めを図るようになっている。
【００１４】
また、雌ハウジング１１の前端部には、前方からキャップ状のリテーナ３０が、雌ハウジング１１に対して仮係止位置と本係止位置との間を変位可能に冠着されるようになっている。ここで、仮係止位置とは、雌側端子金具２２がキャビティ２１に対して挿脱自在となるリテーナ３０の装着位置のことをいい（図４参照）、本係止位置とは、雌側端子金具２２の抜け止めを行うリテーナ３０の装着位置のことをいう（図１参照）。この本係止位置では、リテーナ３０は、ランス２９の撓み変形空間内に挿入されて、ランス２９が雌側端子金具２２から離脱する方向に変形するのを防止することで、雌側端子金具２２を二重係止するようになっている。リテーナ３０の前壁には、キャビティ２１と対応する位置に、タブ片２４が挿入されるタブ挿入孔３１が形成されている。また、リテーナ３０の側壁の外側面には、リテーナ３０の下端から、リテーナ３０の高さ寸法の略四分の一だけ上方の位置に、外方に突出すると共に前後方向に延びる２つのリテーナ側案内リブ３２が形成されており、後述する雄ハウジング１０の側壁に形成された側面側第２案内スリット３３に進入して、両ハウジング１０，１１の嵌合、離脱を案内するようになっている。リテーナ側案内リブ３２の前端部には、後述するレバー１２の仮係止ロック部３４がリテーナ側案内リブ３２に乗り上げる動作を容易にするためのテーパ面３５が形成されている。
【００１５】
一方、図５ないし図７に示すように、雄ハウジング１０は合成樹脂材料からなり、この雄ハウジング１０の前側には前方に開口するフード部３６が形成されると共に、このフード部３６の後方には、雄側端子金具２３を収容する端子収容部３７が形成されている。雄ハウジング１０の側壁の外側面には、前後方向の略中央付近であって、高さ方向の中央よりもやや上方に、レバー１２を取り付けるための一対の支軸３８が外方に突設されている。支軸３８は、略円柱状に形成されると共に、その突出端には、前後に突出する一対の突部３９が形成されている。
【００１６】
フード部３６の上壁には、雌ハウジング１１の上面側案内突起１７と整合する位置に、フード部３６の前端縁からやや後方に引っ込んだ位置から後方に延びる２つの上面側案内スリット１８が形成されており、上面側案内突起１７が進入するようになっている。また、フード部３６の側壁には、雌ハウジング１１のカムピン１３及び側面側案内リブ１６と対応する位置に、フード部３６の前端縁から後方に延びる側面側第１案内スリット１５が形成されており、この側面側第１案内スリット１５に、カムピン１３及び側面側案内リブ１６が進入するようになっている。また、側面側第１案内スリット１５の下方には、雌ハウジング１１のリテーナ側案内リブ３２と対応する位置に、フード部３６の前端縁から後方に延びる側面側第２案内スリット３３が形成されており、リテーナ側案内リブ３２が進入するようになっている。さらに、フード部３６の下壁には、雌ハウジング１１の下面側案内リブ１９と対応する位置に、２つの下面側案内溝２０が、前後方向に延びると共に下方に引っ込んで形成されており、下面側案内リブ１９が進入するようになっている。
【００１７】
図１１に示すように、端子収容部３７の内部には前後方向に延びるキャビティ２１が形成されており、雄側端子金具２３を後方から収容するようになっている。雄側端子金具２３は、本体部４０と、本体部４０の後方に設けられ電線２６を圧着するバレル部２７とからなり、本体部４０の前端には、前方に細長く延びるタブ片２４が設けられている。キャビティ２１の内壁には前方に片持ち状に延びると共に、撓み変形可能なランス２９が突設されており、このランス２９は、本体部４０と弾性的に係合することにより、雄側端子金具２３の抜け止めを図るようになっている。雄側端子金具２３がキャビティ２１内に収容された状態では、タブ片２４は、フード部３６内に突出するようになっている。
【００１８】
また、端子収容部３７の前端部には、前方からリテーナ３０が装着されるようになっており、このリテーナ３０は、ランス２９の撓み変形空間内に挿入されて、ランス２９が雄側端子金具２３から離脱する方向に変形するのを防止することで、雄側端子金具２３を二重係止するようになっている。
【００１９】
図８ないし図１０に示すように、レバー１２は合成樹脂材料からなり、２つの側板４１と、この側板４１の端部を連結する板状の操作部４２とから略門状に形成されている。このレバー１２は、雄ハウジング１０を跨ぐようにして、待受け位置と、嵌合位置との間で回動可能に取付けられている。なお、後に詳述するが、待受け位置とは、レバー１２の側板４１に形成されたカム溝１４に、雌ハウジング１１に形成されたカムピン１３が進入するのを許容するレバー１２の位置をいい、嵌合位置とは、両ハウジング１０，１１が正規嵌合した状態におけるレバー１２の位置をいう。
【００２０】
図９及び図１０における操作部４２の下端縁には、幅方向の両端寄りの位置に、下方に突設された２つのストッパ４３が形成されており、このストッパ４３が雄ハウジング１０の上壁の外側面に上方から当接することにより、レバー１２が待受け状態にある状態において、レバー１２の図１における反時計回り方向の回り止めがなされるようになっている。
【００２１】
側板４１には、雄ハウジング１０の支軸３８に嵌合する軸孔４４が貫通して設けられており、レバー１２は、この支軸３８を回動中心として回動可能とされる。この軸孔４４は、支軸３８と略同一形状に形成されており、その外側には、レバー１２が回動する際に支軸３８の突部３９を逃がせるように円形孔４５が形成されている。詳細には図示しないが、レバー１２が雄ハウジング１０に取付けられた状態においては、支軸３８の先端面と、レバー１２の外面とは略面一になるように設定されている。両側板４１の内側面には、図８に示すように、雌ハウジング１１のカムピン１３が進入可能な略弧状のカム溝１４が、レバー１２の厚み方向外方に引っ込んで設けられている。このカム溝１４は、待受け位置にあるレバー１２のカム溝１４の入口にカムピン１３を進入させた状態から、レバー１２を嵌合位置へ回動させることで、カムピン１３がカム溝１４に沿って移動して、両ハウジング１０，１１の嵌合動作が進行するようになっている。
【００２２】
両側板４１には、レバー１２が待受け位置にある状態において、雄ハウジング１０の側面側第２案内スリット３３と対応する位置に、略Ｕ字状をなす第１スリット４６を切り欠くことにより、この第１スリット４６の内側に仮係止ロック部３４が形成されている。この仮係止ロック部３４は、片持ち状をなしており、雄ハウジング１０の側壁に対して近づいたり遠ざかったりする方向に撓み変形可能に形成されている。この仮係止ロック部３４の先端には、レバー１２の厚み方向内方に突出する係止爪４７が形成されており、この係止爪４７は、レバー１２が待受け位置にある状態において、側面側第２案内スリット３３と係合することで、レバー１２が回動不能にロックされるようになっている。そして、この仮係止ロック部３４は、カム溝１４の入口にカムピン１３が侵入したときに、雌ハウジング１１のリテーナ側案内リブ３２の前端縁に仮係止ロック部３４の係止爪４７が乗り上げることで、雄ハウジング１０の側壁から遠ざかる方向に撓み変形して、側面側第２案内スリット３３との係合が解除されて、レバー１２が回動できるようになっている。
【００２３】
さて、両側板４１には、軸孔４４と操作部４２との間の領域に、２つのヒンジ４８を残した状態で略環状をなす第２スリット４９（本発明に係るスリットに相当）が切り欠かれており、この第２スリット４９の内側に、可撓ロック部５０が側板４１のほぼ肉厚内に形成されている。これにより、可撓ロック部５０は、レバー１２の回動軌跡内に収まるように構成されている。この可撓ロック部５０は、操作部４２の板面に沿う方向に細長く延びており、概ね操作部４２と軸孔４４とを結ぶ方向に沿って形成されている。可撓ロック部５０は、その長手方向の略中央付近に、上述したヒンジ４８が形成されてシーソー形状をなしており、このヒンジ４８を支点として、雄ハウジング１０の側壁に対して近づいたり遠ざかったりする方向に撓み変形可能に形成されている。可撓ロック部５０のうち軸孔４４に近い側の端部には、レバーの厚み方向内方に突出する係止部５１が形成されている。この係止部５１は、レバー１２が嵌合位置にある状態において、雄ハウジング１０の側壁の外側面のうち、係止部５１と対応する位置に内方に引っ込んで、前後方向に延びる溝状に形成された係止受け部５２と係合することで、レバー１２が回動不能にロックされるようになっている。一方、可撓ロック部５０のうち操作部４２に近い側の端部には、レバーの厚み方向外方に突出する解除部５３が形成されている。この解除部５３は、軸孔４４と操作部４２との間の領域のうち、操作部４２寄りの位置に配されている。この解除部５３を、雄ハウジング１０の側壁に近づく方向に押圧することにより、可撓ロック部５０はヒンジ４８を支点として揺動して、可撓ロック部５０のうち係止部５１が形成された側の端部が雄ハウジング１０の側壁から遠ざかる方向に変位するようになっている。これにより、嵌合位置にあるレバー１２の係止部５１と、雄ハウジング１０の係止受け部５２との係合を解除して、レバー１２が回動できるようになっている。
【００２４】
続いて、両ハウジング１０，１１の嵌合操作の進行状態における各部材の構成について説明する。まず、両ハウジング１０，１１が図１に示す状態においては、雌ハウジング１１のキャビティ２１には雌側端子金具２２が挿入されてランス２９により係止されると共に、リテーナ３０が冠着されることで二重係止されている。一方、雄ハウジング１０のキャビティ２１には雄側端子金具２３が挿入されてランス２９により係止されると共に、リテーナ３０が装着されることで二重係止されている。雄ハウジング１０に配されたレバー１２は、仮係止ロック部３４の係止爪４７が側面側第２案内スリット３３に係合すると共に、ストッパ４３が雄ハウジング１０の上壁の外側面に当接することで、待受け位置において回動不能に保持されている。この状態では、レバー１２のカム溝１４の入口と、雄ハウジング１０の側面側第１案内スリット１５とが整合した状態で前方に開口しており、雌ハウジング１１のカムピン１３がカム溝１４及び側面側第１案内スリット１５に進入するのを許容するようになっている。
【００２５】
次に、両ハウジング１０，１１が図１２に示す位置に移動した状態においては、カムピン１３がレバー１２のカム溝１４及び雄ハウジング１０の側面側第１案内スリット１５に進入している。このとき、側面側案内リブ１６は、側面側第１案内スリット１５に進入しており、また上面側案内突起１７は上面側案内スリット１８に進入しており、そして下面側案内リブ１９は下面側案内溝２０に進入しており、さらにリテーナ側案内リブ３２は側面側第２案内スリット３３に進入している。この状態においては、仮係止ロック部３４がリテーナ側案内リブ３２に乗り上げて雄ハウジング１０の側壁から遠ざかる方向に撓み変形し、仮係止爪４７と側面側第２案内スリット３３との係合が解除されることで、レバー１２が待受け位置から回動可能になっている。
【００２６】
続いて、レバー１２が図１３に示す位置に回動された状態においては、カムピン１３がレバー１２のカム溝１４に誘導されて、側面側第１案内スリット１５内を奥方に移動し、雄ハウジング１０と雌ハウジング１１とが互いに引き寄せられるように変位可能となっている。
【００２７】
さらに、レバー１２が図１４に示す位置に回動された状態においては、両ハウジング１０，１１が正規嵌合した状態にあり、この状態におけるレバー１２の位置が、嵌合位置とされる。このとき、レバー１２の可撓ロック部５０の係止部５１は、雄ハウジング１０の係止受け部５２に係合することで、レバー１２が回動不能に保持されている（図１６参照）。一方、雄側端子金具２３のタブ片２４は、雌側端子金具２２の角筒部２５内に挿入されて弾性接触片２８と接続しており、これにより雄側端子金具２３と雌側端子金具２２とが電気的に接続されている（図１５参照）。
【００２８】
レバー１２が図１４に示す位置に保持された状態において、レバー１２の解除部５３を図１６における矢線Ａに示す方向（雄ハウジング１０の側壁に近づく方向）に押圧すると、ヒンジ４８を支点として、レバー１２の係止部５１が矢線Ｂに示す方向（雄ハウジング１０の側壁から遠ざかる方向）に揺動変位するようになっている。すると、レバー１２の係止部５１と、雄ハウジング１０の係止受け部５２との係合が解除されて、レバー１２が回動できるようになっている。
【００２９】
続いて、本実施形態の作用、効果について説明する。まず、雌ハウジング１１の前端部にリテーナ３０を仮係止し、電線２６の端末に配設した雌側端子金具２２をキャビティ２１の後方から挿入し、ランス２９により抜け止めした後、リテーナ３０を本係止させて雌側端子金具２２を二重係止する。
【００３０】
また、雄ハウジング１０に対してレバー１２を回動可能に取付けた後、レバー１２の仮係止ロック部３４の仮係止爪４７と、雄ハウジング１０の側面側第２案内スリット３３とを係合させて、レバー１２を待受け位置にロックする。続いて、雄ハウジング１０にリテーナ３０を仮係止し、電線２６の端末に配設した雄側端子金具２３をキャビティ２１の後方から挿入し、ランス２９により抜け止めした後、リテーナ３０を本係止させて雄側端子金具２３を二重係止する。
【００３１】
雌ハウジング１１と、雄ハウジング１０とを、図１に示す状態から、図１２へ示す状態に変位させると、まず雄ハウジング１０のフード部３６内に、雌ハウジング１１の前端部が進入する。さらに両ハウジング１０，１１を接近させると、雌ハウジング１１のカムピン１３が、雄ハウジング１０の側面側第１案内スリット１５及びレバー１２のカム溝１４に進入する。また、雌ハウジング１１の下面側案内リブ１９が雄ハウジング１０の下面側案内溝２０に進入する。さらに両ハウジング１０，１１の嵌合が進むと、雄ハウジング１０の上面側案内突起１７が雌ハウジング１１のフード部３６の前端縁に当接する。このとき、リテーナ側案内リブ３２の前端部は、レバー１２の仮係止ロック部３４の仮係止爪４７に当接する。この状態で両ハウジング１０，１１を接近させる方向に力を加えると、フード部３６の上壁が撓み変形して、上面側案内突起１７がフード部３６の下に潜り込んだ後、上面側案内スリット１８内に進入して、両ハウジング１０，１１は図１２に示す状態に変位する。このとき、仮係止ロック部３４の仮係止爪４７は、リテーナ側案内リブ３２のテーパ面３５を乗り越えてリテーナ側案内リブ３２に乗り上がり、雄ハウジング１０の側壁から遠ざかる方向に撓み変形することで、仮係止爪４７と側面側第２案内スリット３３との係合が解除され、レバー１２が回動可能となる。
【００３２】
続いて、操作部４２を把持しつつ、レバー１２を図１２における時計回り方向に回動させると、レバー１２の回動操作に伴って、カムピン１３はカム溝１４に沿って変位し、雄ハウジング１０の側面側第１案内スリット１５の奥方へ変位することで、両ハウジング１０，１１は、嵌合が深まる方向に互いに引き寄せられる。このとき、各案内リブ１６、１９、３２、や上面側案内突起１７は、対応する各案内スリット１５、１８、３３や、下面側案内溝２０に進入することで、両ハウジング１０，１１の姿勢を安定させて、両ハウジング１０，１１の嵌合を案内するようになっている（図１３参照）。
【００３３】
さらにレバー１２を回動させると、レバー１２の可撓ロック部５０の係止部５１が、雄ハウジング１０の上壁の外側面のうち幅方向の端縁部に上方から当接する。さらに、レバー１２を回動させると、係止部５１が雄ハウジング１０の側壁に乗り上げ、可撓ロック部５０が、雄ハウジング１０の側壁から遠ざかる方向に撓み変形する。さらにレバー１２を回動させて、図１４に示す位置にまで変位させると、可撓ロック部５０が復帰変形し、係止部５１が、雄ハウジング１０の係止受け部５２に収容されて係合する。これにより、レバー１２が、嵌合位置において回動不能にロックされる。このとき、雄側端子金具２３のタブ片２４と、雌側端子金具２２の弾性接触片２８とが接触することにより、雄側端子金具２３と雌側端子金具２２との電気的接続がなされる。
【００３４】
両ハウジング１０，１１を離間させる際には、まず可撓ロック部５０の解除部５３を、雄ハウジング１０の側壁に近づく方向に押圧する。すると、可撓ロック部５０は、ヒンジ４８を支点として揺動運動し、係止部５１が形成された側の端部が、雄ハウジング１０の側壁と遠ざかる方向に変位する。これにより、係止部５１と係止受け部５２との係合が解除されて、レバー１２が回動可能になる。続いて、解除部５３を押圧した状態で、レバー１２を図１４における反時計回り方向に回動させることにより、カムピン１３がカム溝１４に誘導されて、側面側第１案内スリット１５を前方に移動し、両ハウジング１０，１１が離間する方向に変位する。このとき、レバー１２の解除部５３は、軸孔４４と操作部４２との間の領域のうち、操作部４２寄りの位置に形成されているから、作業者は、容易にレバー１２の回動操作を行うことができる。これによりロック解除性が向上し、メンテナンス時などにおけるコネクタ同士の離間作業の効率を向上させることができる。
【００３５】
以上説明したように、本実施形態によれば、レバー１２を嵌合位置に保持するための係止部５１を、レバーの内面に形成する構成としたから、雄ハウジング１０の係止受け部５２が、レバー１２の厚み方向外方に突出することを防止でき、雄ハウジング１０の小型化を図ることができる。また、可撓ロック部５０を、レバー１２のほぼ肉厚内に形成したから、レバー１２側の幅狭化も図ることができる。これにより、コネクタを幅方向に小型化することができる。
【００３６】
また、本実施形態においては、レバー１２の側板４１に、ヒンジ４８を残しながら環状の第２スリット４９を切り込むことで、この第２スリット４９の内側に可撓ロック部５０を形成した。これにより、既存のレバー１２の範囲内に可撓ロック部５０を配置可能となったから、レバー１２の回動軌跡が大きくなることを防止でき、雄ハウジング１０の大型化を防止できる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３８】
（１）本実施形態においては、レバー１２は略門状をなして雄ハウジング１０の両側面に沿って回動する構成としたが、これに限られず、略板状のレバーをハウジングの片面に沿って回動する構成であってもよい。
【００３９】
（２）本実施形態においては、第１ハウジングを雄ハウジング１０とし、第２ハウジングを雌ハウジング１１としたが、これに限られず、第１ハウジングを雌ハウジングとし、第２ハウジングを雄ハウジングとしてもよい。
【００４０】
（３）本実施形態においては、雄ハウジング１０に形成した係止受け部５２は、雄ハウジング１０の外面から内方に引っ込んで形成された溝状に形成したが、これに限られず、係止受け部５２を、雄ハウジング１０の外面から外方に突出する突起とすると共に、レバー１２の側板４１にはこの突起を逃がすための逃げ溝を形成し、レバー１２の回動操作により、この突起と、可撓ロック部５０の係止部５１とが係合する構成としてもよい。
【００４１】
（４）本実施形態においては、可撓ロック部５０は、環状の第２スリット４９の内部に形成される構成としたが、これに限られず、可撓ロック部５０は、側板４１のほぼ肉厚内に設けられていれば、例えば側板４１の側端縁から、その板面に沿う方向に突設される構成としてもよい。
【図面の簡単な説明】
【００４２】
【図１】レバーを取付けた雄ハウジングと、雌ハウジングの側面図
【図２】本発明の一実施形態に係るレバー式コネクタにおける雌ハウジングの正面図
【図３】同じく雌ハウジングの平面図
【図４】同じく雌ハウジングの側面図
【図５】同じく雄ハウジングの正面図
【図６】同じく雄ハウジングの平面図
【図７】同じく雄ハウジングの側面図
【図８】同じくレバーの側面図
【図９】同じくレバーの背面図
【図１０】同じくレバーの平面図
【図１１】レバーを取付けた雄ハウジングと、雌ハウジングの断面図
【図１２】両ハウジングを嵌合させる際の初期状態を示す側面図
【図１３】両ハウジングの嵌合途中の状態を示す側面図
【図１４】両ハウジングが正規嵌合された状態を示す側面図
【図１５】両ハウジングが正規嵌合された状態を示す断面図
【図１６】両ハウジングが正規嵌合された状態を示す一部切欠平断面図
【符号の説明】
【００４３】
１０…雄ハウジング（第１ハウジング）
１１…雌ハウジング（第２ハウジング）
１２…レバー
１３…カムピン
１４…カム溝
４１…側板
４２…操作部
４８…ヒンジ
４９…第２スリット（スリット）
５０…可撓ロック部
５１…係止部
５２…係止受け部
５３…解除部
【図１】
2006344473.tif 000003
【図２】
2006344473.tif 000004
【図３】
2006344473.tif 000005
【図４】
2006344473.tif 000006
【図５】
2006344473.tif 000007
【図６】
2006344473.tif 000008
【図７】
2006344473.tif 000009
【図８】
2006344473.tif 000010
【図９】
2006344473.tif 000011
【図１０】
2006344473.tif 000012
【図１１】
2006344473.tif 000013
【図１２】
2006344473.tif 000014
【図１３】
2006344473.tif 000015
【図１４】
2006344473.tif 000016
【図１５】
2006344473.tif 000017
【図１６】
2006344473.tif 000018